(57)【要約】【課題】立った状態でも座って股を開いた状態でも、それぞれの陶芸作業性が良好なエプロンを提供する。【解決手段】少なくとも腰から両足首にかけた作業者の前部分を覆う下半身当て部２００を有し、下半身当て部２００は、矩形状の布の一角をほぼ直角に削落した、左右対称の２枚の原布地２０１，２０２の、削落した端縁部分２０３，２０４を互いに縫製してなる。【選択図】  図１
2006265752.tif 000002
【特許請求の範囲】
【請求項１】
少なくとも腰から両足首にかけた作業者の前部分を覆う下半身当て部を有し、
前記下半身当て部は、矩形状の布の一角をほぼ直角に削落した、左右対称の２枚の原布地の、前記削落した端縁部分を互いに縫製してなることを特徴とする陶芸作業用エプロン。
【請求項２】
前記下半身当て部の原布地は、矩形状の布の一角を、縦２１ｃｍ〜２６ｃｍ、横１８ｃｍ〜２１ｃｍで削落したものであることを特徴とする請求項１記載の陶芸作業用エプロン。
【請求項３】
前記下半身当て部の原布地の前記削落部のコーナの半径Ｒが、５ｃｍ〜７ｃｍであることを特徴とする請求項１または２記載の陶芸作業用エプロン。
【請求項４】
前記下半身当て部に連設されて胸部から腹部にかけた作業者の前部分を覆う胸当て部と、
前記下半身当て部の上部両端に設けられた肩紐通し部と、
一端が前記胸当て部に装着され他端が前記肩紐通し部に通されたのち結ばれる一対の肩紐と、を有することを特徴とする請求項１〜３の何れかに記載の陶芸作業用エプロン。
【発明の詳細な説明】
【技術分野】
【０００１】
本発明は、陶芸作業、特にろくろ（轆轤）作業を行う際に用いて好ましいエプロンに関する。
【背景技術】
【０００２】
陶芸用エプロンとしては胸から膝までのものが一般的であるが、ろくろ作業は椅子に座って股を開き、ろくろを挟んだ格好で行われるので、こうした短いエプロンでは膝から下の部分が汚れる。
【０００３】
また、膝下まで長くしたエプロンであっても、座って股を開いた状態でろくろを挟むと、股と両膝の部分でエプロンが邪魔になって作業がやりずらいといった問題がある。尤も、着座して股を開いた状態で両脚にフィットする形状に縫製すればこうした問題は解決されるが、そうすると立った状態で両脚の部分が不自然になり、逆に立ったままで行う作業がやりずらいという問題がある。
【発明の開示】
【０００４】
本発明は、立った状態でも座って股を開いた状態でも、それぞれの陶芸作業性が良好なエプロンを提供することを目的とする。
上記目的を達成するために、本発明の陶芸ろくろ作業用エプロンは、少なくとも腰から両足首にかけた作業者の前部分を覆う下半身当て部（２００）を有し、前記下半身当て部（２００）は、矩形状の布の一角をほぼ直角に削落した、左右対称の２枚の原布地（２０１，２０２）の、前記削落した端縁部分（２０３，２０４）を互いに縫製してなることを特徴とする。
【０００５】
本発明では、下半身当て部の構成を、矩形状の布の一角を削落した左右対称の２枚の原布地の、削落した端縁部分を互いに縫製するものとし、ここで削落部分をほぼ直角にしたので、椅子に座って股を開いたときに、この縫製部分が股の付け根に沿うことになる。これにより、両脚の開度に拘わらず両脚の間に、ろくろ作業に適したスペースが形成される（図２参照）。またこのとき、両脚の付け根から足首までが下半身当て部で覆われるので、両脚が汚れたりすることもない（図２参照）。
【０００６】
一方、起立したときに、削落した端縁部分は、両脚の付け根近傍において両脚の間に収まる格好になるので、前面から見ても不自然ではなく、立ったままで行う作業にも適している（図１参照）。
【発明の実施の形態】
【０００７】
以下、本発明の実施形態を図面に基づいて説明する。
【０００８】
図１は本発明に係るエプロンを装着して起立した状態を示す図であって、同図（Ａ）は正面図、同図（Ｂ）は背面図、図２は本発明に係るエプロンを装着して椅子に座って股を開いた状態を示す図であって、同図（Ａ）は正面図、同図（Ｂ）は斜視図、図３は本発明に係るエプロンを示す図であって、同図（Ａ）は正面図、同図（Ｂ）は背面図、図４は本発明に係るエプロンを構成する生地を示す分解図、図５は図３（Ａ）のV-V線に沿う断面図、図６は図３（Ａ）のVI-VI線に沿う断面図である。
【０００９】
本発明に係るエプロンは、陶芸作業、たとえば椅子に座って行うろくろ作業や、立ったままで行う、土をこねる作業、釉薬を塗布する作業、四角い陶器を作製する作業など、座って行う作業においても、立ったままで行う作業でも、作業性に優れた機能を発揮するものである。
【００１０】
本例のエプロンは、図１（Ａ）及び（Ｂ）に示すように、作業者の胸部から腹部にかけた前部分を覆う胸当て部１００と、胸当て部１００に連設されて作業者の腰から両足首にかけた前部分を覆う下半身当て部２００と、下半身当て部２００の上部両端に設けられた肩紐通し部３００と、一端が胸当て部２００に装着され他端が肩紐通し部３００に通されたのち結ばれる２本の肩紐４００と、を有する。これら胸当て部１００、下半身当て部２００、肩紐通し部３００および肩紐４００それぞれの、縫製前の単品生地の状態を図４に示す。なお、本発明のエプロンは、少なくとも下半身当て部２００があればよく、胸当て部１００、肩紐通し部３００および肩紐４００を省略したエプロンであってもよい。
【００１１】
胸当て部１００は、作業者の胸から腹部にかけた部分を覆う布製部材１０１と、この布製部材１０１の上端縁の裏側に縫製される短冊状の布製部材１０２とからなる。短冊状の布製部材１０２は、布製部材１０１の上端縁との間に肩紐４００を挟み込んで補強する機能を司る。
【００１２】
また、胸当て部１００の部材１０１の下側両端のそれぞれには、短冊状の布製部材３０１がリング状に縫製されて肩紐通し部３００が形成される。一方、胸当て部１００の上側両端の裏側には、長尺紐状の２本の肩紐４０１，４０１の一端がそれぞれ縫製されている。また、胸当て部１００の部材１０１の表側の中央には、陶芸作業で使用するヘラなどの道具を収容するためのポケット１０４が縫製されている。
【００１３】
下半身当て部２００は、図４に示すように、矩形状の布の一角、すなわち同図の右側の原布地２０２では左上の角であり、同じく左側の原布地２０１では右上の角をほぼ直角に削落した、左右対称の２枚の原布地２０１，２０２からなり、この削落した端縁部分２０３，２０４が互いに縫製されている。この縫製箇所を同図に点線で示す。
【００１４】
また、原布地２０１，２０２の上端２０５，２０６は、上述した胸当て部１００の下端縁１０３に連続して縫製されている。なお、図３に示すように、この上端２０５，２０６を胸当て部１００の下端縁１０３に縫製する際にステッチを形成し、デザイン性や機能性を向上させてもよい。
【００１５】
原布地２０１，２０２の削落部分の大きさは、下記のとおりであることが好ましい。すなわち、図４に示す縦、横及びコーナの半径Ｒについて、たとえば子供用エプロンの場合は、縦２１ｃｍ、横１８ｃｍ、Ｒが５〜６ｃｍ、大人のＳサイズの場合は、縦２３ｃｍ、横２０ｃｍ、Ｒが５〜６ｃｍ、大人のＭサイズの場合は、縦２５ｃｍ、横２０ｃｍ、Ｒが７ｃｍ、大人のＬサイズの場合は、縦２６ｃｍ、横２１ｃｍ、Ｒが７ｃｍである。
【００１６】
本発明に係るエプロンでは、この原布地２０１，２０２の削落部分をほぼ直角にし、縦及び横の寸法を上記のとおりとしたので、図２に示すように椅子に座って股を開いたときに、この縫製部分２０９が股の付け根に沿うことになって、両脚の開度に拘わらず両脚の間に、ろくろ作業に適したスペース（同図に二点鎖線で示す。）が形成される。またこのとき、両脚の付け根から足首までが下半身当て部で覆われるので、両脚が汚れたりすることもない。
【００１７】
なお、下半身当て部２００の原布地２０１，２０２の表側には、それぞれポケット２０７，２０８が縫製されている。
【００１８】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【００１９】
【図１】本発明に係るエプロンを装着して起立した状態を示す、（Ａ）は正面図、（Ｂ）は背面図である。
【図２】本発明に係るエプロンを装着して椅子に座って股を開いた状態を示す、（Ａ）は正面図、（Ｂ）は斜視図である。
【図３】本発明に係るエプロンを示す、（Ａ）は正面図、（Ｂ）は背面図である。
【図４】本発明に係るエプロンを構成する生地を示す分解図である。
【図５】図３（Ａ）のV-V線に沿う断面図である。
【図６】図３（Ａ）のVI-VI線に沿う断面図である。
【符号の説明】
【００２０】
１００…胸当て部
２００…下半身当て部
２０１，２０２…原布地
２０３，２０４…削落した端縁部分
３００…肩紐通し部
４００…肩紐
【図１】
2006265752.tif 000003
【図２】
2006265752.tif 000004
【図３】
2006265752.tif 000005
【図４】
2006265752.tif 000006
【図５】
2006265752.tif 000007
【図６】
2006265752.tif 000008